(57)【要約】【課題】タッチパネルを具備した機器に文字入力をはじめとする各種処理を指示するにあたって、画面上のオブジェクト（ボタン、アイコンなど）の指定を正確かつ容易に行えるよう操作者を支援すること。【解決手段】画面上で押圧された位置が複数のオブジェクトの表示領域にまたがっていて、オブジェクトが一つに特定できない場合、本発明では当該複数のオブジェクトを画面上で強調表示（具体的には拡大）する。そして、その状態で画面上の任意の場所が押圧された場合に、その時点でフォーカスが位置しているオブジェクトに対応する命令を実行する。したがって、誤って同時に複数のオブジェクトに触れてしまった場合でも、強調表示された目的のオブジェクトにフォーカスが巡ってきたタイミングで画面上の任意の場所に触れるだけで、最初から目的のオブジェクトだけに正確に触れたのと同じ結果が得られる。【選択図】      図５
2005044026.tif 000002
【特許請求の範囲】
【請求項１】
画面上に表示された複数のオブジェクトのうち操作者により指定されたものを特定して当該オブジェクトに対応する命令を実行する命令実行方法において、
前記画面上で押圧された位置の座標を算出する入力座標算出工程と、
前記入力座標算出工程で算出された座標から前記操作者により指定されたオブジェクトを特定するオブジェクト特定工程と、
前記オブジェクト特定工程でオブジェクトが一つに特定できない場合に、前記操作者により指定されたオブジェクトの候補となる複数のオブジェクトの強調画像を前記画面上に表示する強調画像表示工程と、
前記強調画像表示工程で強調画像を表示された複数のオブジェクトのうち一つを選択するオブジェクト選択工程と、
前記強調画像表示工程で強調画像を表示された前記画面上の任意の場所が押圧された場合に、前記オブジェクト選択工程で選択されたオブジェクトに対応する命令を実行する命令実行工程と、
を含んだことを特徴とする命令実行方法。
【請求項２】
画面上に表示された複数のオブジェクトのうち操作者により指定されたものを特定して当該オブジェクトに対応する命令を実行するときに用いる命令実行プログラムであって、
前記画面上で押圧された位置の座標を算出する入力座標算出工程と、
前記入力座標算出工程で算出された座標から前記操作者により指定されたオブジェクトを特定するオブジェクト特定工程と、
前記オブジェクト特定工程でオブジェクトが一つに特定できない場合に、前記操作者により指定されたオブジェクトの候補となる複数のオブジェクトの強調画像を前記画面上に表示する強調画像表示工程と、
前記強調画像表示工程で強調画像を表示された複数のオブジェクトのうち一つを選択するオブジェクト選択工程と、
前記強調画像表示工程で強調画像を表示された前記画面上の任意の場所が押圧された場合に、前記オブジェクト選択工程で選択されたオブジェクトに対応する命令を実行する命令実行工程と、
をプロセッサに実行させることを特徴とする命令実行プログラム。
【請求項３】
画面上に表示された複数のオブジェクトのうち操作者により指定されたものを特定して当該オブジェクトに対応する命令を実行する命令実行装置において、
前記画面上で押圧された位置の座標を算出する入力座標算出手段と、
前記入力座標算出手段により算出された座標から前記操作者により指定されたオブジェクトを特定するオブジェクト特定手段と、
前記オブジェクト特定手段によりオブジェクトが一つに特定できない場合に、前記操作者により指定されたオブジェクトの候補となる複数のオブジェクトの強調画像を前記画面上に表示する強調画像表示手段と、
前記強調画像表示手段により強調画像を表示された複数のオブジェクトのうち一つを選択するオブジェクト選択手段と、
前記強調画像表示手段により強調画像を表示された前記画面上の任意の場所が押圧された場合に、前記オブジェクト選択手段により選択されたオブジェクトに対応する命令を実行する命令実行手段と、
を備えたことを特徴とする命令実行装置。
【発明の詳細な説明】
【０００１】
【発明の属する技術分野】
この発明は、画面上に表示された複数のオブジェクトのうち操作者により指定されたものを特定して当該オブジェクトに対応する命令を実行する命令実行方法、命令実行プログラムおよび命令実行装置に関する。
【０００２】
【従来の技術】
画面上のオブジェクト（ボタン、アイコンなど）に指で触れることで、文字入力やメニュー選択などの各種命令（コマンド）を実行できるタッチパネルは、操作者がキーボードに不慣れであったり、キーボードを設置する物理的スペースがなかったりする場合の入力手段として、パーソナル・コンピュータのほかＰＤＡ、ＡＴＭ、カーナビゲーションシステムなどに広く利用されている。
【０００３】
そしてこのタッチパネルについては、従来から、入力を容易化するためのさまざまな工夫が提案されてきた。たとえば、タッチパネルのキー入力に対応するキー画像を拡大する、というものである（たとえば、特許文献１参照。）。
【０００４】
また、タッチパネルでは複数のキーを同時に押下してしまう場合が多いため、押下された複数のシンボル領域を拡大するもの（たとえば、特許文献２参照。）、表示されている画像情報の大きさを変更するもの（たとえば、特許文献３参照。）、最初に押下されたキーを中心に拡大表示し指を離すと元に戻るもの（たとえば、特許文献４参照。）、押下された複数のキーを含む分割キーボードを拡大表示するもの（たとえば、特許文献５参照。）、あらかじめ複数キー配列から入力しやすいものを選択したり、押下された複数のキーの周辺を拡大したり、あるいは電卓などの機能単位で拡大したりするもの（たとえば、特許文献６参照。）がある。
【０００５】
さらに、操作者の指示により拡大画像を表示する際の工夫については、拡大画像を原画像全体と重ならない位置に表示するものがある（たとえば、特許文献７参照。）。
【０００６】
【特許文献１】
特許第２５９５０４５号公報
【特許文献２】
特許第２５３１４１６号公報
【特許文献３】
特開昭６３−００４３２２号公報
【特許文献４】
特開２００２−９１６７７号公報
【特許文献５】
特開平８−２３４９０９号公報
【特許文献６】
特許第３２３５４８０号公報
【特許文献７】
特開２０００−２５０６８１号公報
【０００７】
【発明が解決しようとする課題】
しかしながら上記例のように、押下された複数のオブジェクトを単純に拡大表示する方式では、画面イメージが大幅に変化するため、それまで表示できていた必要情報が隠れてしまうことがある。また、拡大された領域が依然として入力しづらいものであった場合、拡大画像のどの部分に触れたらよいのかを認識するのに時間がかかる。
【０００８】
さらに、拡大画像を原画像にかからない位置に表示する方式では、原画像の全体表示にこだわるあまり、拡大画像を表示するための十分な領域が確保できず、依然として操作性の問題が残ってしまうという問題があった。
【０００９】
この発明は上記従来技術による問題を解決するため、文字入力をはじめとする各種処理の指示にあたって、画面上のオブジェクトの指定を正確かつ容易に行えるよう操作者を支援することが可能な命令実行方法、命令実行プログラムおよび命令実行装置を提供することを目的とする。
【００１０】
【課題を解決するための手段】
上述した課題を解決し、目的を達成するため、この発明にかかる命令実行方法、命令実行プログラムまたは命令実行装置は、画面上に表示された複数のオブジェクトのうち操作者により指定されたものを特定して当該オブジェクトに対応する命令を実行する命令実行方法、命令実行プログラムまたは命令実行装置において、画面上で押圧された位置の座標から操作者が指定したオブジェクトを特定し、オブジェクトが一つに特定できないときは上記オブジェクトの候補となる複数のオブジェクトの強調画像を表示して、その状態で画面上の任意の場所が押圧された場合に、その時点で選択中のオブジェクト（フォーカスが位置しているオブジェクト）に対応する命令を実行する。
【００１１】
上記発明によれば、誤って同時に複数のオブジェクトに触れてしまった場合でも、強調表示（具体的には拡大など）された目的のオブジェクトにフォーカスが巡ってきたタイミングで画面上の任意の場所に触れるだけで、目的のオブジェクトだけに触れた場合と同様に当該オブジェクトに対応する命令を実行させることができる。
【００１２】
なお、本発明でいう「押圧」の意味は、実際にタッチパネルなどに圧力を加える場合のみをいうものではなく、人の指などの接触や接近を感知し、それによってオブジェクトを選択する場合の「接触」や「接近」を含むものとする。
【００１３】
【発明の実施の形態】
以下に添付図面を参照して、この発明にかかる命令実行方法、命令実行プログラムおよび命令実行装置の好適な実施の形態を詳細に説明する。
【００１４】
図１は、本発明の実施の形態による命令実行装置の構成を機能的に示す説明図である。本発明の実施の形態による命令実行装置は、具体的にはタッチパネル１００を具備したパーソナル・コンピュータである。そしてそのＨＤ（ハードディスク）には、電卓機能すなわち仮想的な計算機を表示して、操作者の指示によりリアルタイムに四則演算などを行うプログラムが保持されている。
【００１５】
図示する各部のうち、記憶部１０３は上記ＨＤによって実現され、また表示制御部１０２、入力座標算出部１０４、出力座標算出部１０５および命令実行部１０６は、ＣＰＵ（プロセッサ）がＨＤからＲＡＭに読み出した上記プログラムを実行することにより実現される。なお、このプログラムはＨＤのほか、ＦＤ、ＣＤ−ＲＷ、ＭＯなどの各種の記録媒体に格納して配布することができ、ネットワークを介して配布することも可能である。
【００１６】
また、図２は本発明の実施の形態による命令実行装置における、命令実行処理（タッチパネル１００からの入力を受け付けて各種命令を実行する処理）の手順を示すフローチャートである。以下、図２に示す手順に沿って、図１に示した各部の機能を順次説明する。
【００１７】
上記装置はまず表示制御部１０２の画像読み出し部１０２ａにより、たとえば図３に示すような操作画面のデータを記憶部１０３から読み出して、出力座標算出部１０５に出力する。出力座標算出部１０５は、ディスプレイ１０１上で上記画面を表示すべき位置（出力座標）を算出するとともに、当該位置に当該画面を出力（表示）する（ステップＳ２０１）。
【００１８】
この状態でディスプレイ１０１の前面のタッチパネル１００が指などにより押圧されると（ステップＳ２０２：Ｙｅｓ）、タッチパネル１００から所定の入力信号が入力座標算出部１０４に出力され、入力座標算出部１０４は上記信号から、押圧された画面位置（入力座標）を算出する（ステップＳ２０３）。
【００１９】
ここで算出された入力座標は、入力座標算出部１０４から表示制御部１０２のオブジェクト特定部１０２ｂに出力され、オブジェクト特定部１０２ｂにより、入力座標とディスプレイ１０１に表示中の各オブジェクトの座標（後者の座標は出力座標算出部１０５が管理している）とが照合される。
【００２０】
そしてオブジェクト特定部１０２ｂは、押圧されたオブジェクトが一つに特定できない場合、たとえば入力座標がオブジェクトＡの表示領域とオブジェクトＢの表示領域の双方にまたがっている場合に（ステップＳ２０４：Ｎｏ）、画像読み出し部１０２ａに指示して、記憶部１０３から上記各オブジェクトの強調画像を読み出させる（ステップＳ２０５）。
【００２１】
たとえば図３に示した操作画面で、指でタッチされた位置が「９」ボタン３００と「÷」ボタン３０１の双方にまたがっていた場合、上記で取り出される強調画像は、具体的には図４に示すような２つの画像（「９」ボタン３００と「÷」ボタン３０１の拡大画像）である。すなわち、どれと一つには特定できないが、操作者が意図したオブジェクトである可能性のある複数の候補の、それぞれの強調画像が読み出される。
【００２２】
なお、強調の具体的な形態はここでは拡大であるが、拡大に限定しない何らかの変形、色や輝度の変更、点滅や明滅、あるいは自動音声によるオブジェクト名の読み上げなど強調の形態は任意である。要するに通常の表示形態よりも「目立つ」形態であれば何であってもよい。
【００２３】
また、ここではあらかじめ記憶部１０３に各オブジェクトの強調画像を用意しておくようにしたが、複数のオブジェクトが押圧される都度、それぞれの強調画像を通常の画像から作成するようにしてもよい。
【００２４】
上記各画像は、画像読み出し部１０２ａから出力座標算出部１０５に出力され、出力座標算出部１０５は、ディスプレイ１０１上で当該画像を表示すべき位置（出力座標）を算出する（ステップＳ２０６）。この出力座標は、たとえば入力座標の平均値（中央）を中心として、その周囲に各オブジェクトの強調画像が等間隔に配置されるよう決められる。あるいは、現在表示中の各オブジェクト（通常サイズ）の表示領域の中心と、再表示後の各オブジェクト（拡大サイズ）の表示領域の中心とが一致するように決めてもよい。
【００２５】
ただしこのとき、再表示後のオブジェクトの表示領域があらかじめ指定された領域に重なってしまう場合は（ステップＳ２０７：Ｙｅｓ）、出力座標算出部１０５は上記で算出した出力座標を、当該領域と重複しないように補正する（ステップＳ２０８）。
【００２６】
この領域とは、ここではたとえば入力文字領域３０２（タッチパネル１００から入力された文字がエコー表示される領域）であるものとする。ステップＳ２０６で算出した座標のままだと、拡大後のオブジェクトの上端が入力文字領域３０２にかかってしまう場合、ステップＳ２０８で強調画像の出力座標を、その背後に入力文字が隠れてしまわない位置まで下方向に補正する。その後ディスプレイ１０１の、上記で算出（必要に応じて補正）した位置に、上記各画像を出力（表示）する（ステップＳ２０９）。
【００２７】
一方、表示制御部１０２のフォーカス制御部１０２ｃは、強調表示された複数のオブジェクトのうち一つをフォーカスの位置するオブジェクトとして選択するとともに（ステップＳ２１０）、当該オブジェクトの識別情報、すなわちどのオブジェクトを選択したかを出力座標算出部１０５に通知する。
【００２８】
そして出力座標算出部１０５では、選択されたオブジェクト（強調表示中）の現在の表示領域から、たとえばその外縁もしくは外枠にあたる領域の座標を算出し（ステップＳ２１１）、ディスプレイ１０１の当該位置にカーソルを出力（表示）する（ステップＳ２１２）。
【００２９】
図５は、このステップＳ２１２の直後の操作画面の一例を示す説明図である。図示するように、図３に示したボタン３００・３０１がそれぞれボタン５００・５０１に拡大されるとともに（ボタン５００・５０１は入力文字領域５０２を避けて表示されていることに注意）、選択されたボタン５００の周囲にカーソル５０３が表示されている。
【００３０】
一方、表示制御部１０２の時間計測部１０２ｄはステップＳ２１０の選択の時点から経過時間の計測を開始し、何の入力もないまま所定時間（たとえば１秒）が経過すると（ステップＳ２１３：Ｎｏ、ステップＳ２１４：Ｙｅｓ）、その旨の信号をフォーカス制御部１０２ｃに出力する。
【００３１】
これを受けたフォーカス制御部１０２ｃでは、前回選択したのとは別のオブジェクトを一つ選択し（ステップＳ２１０）、この結果たとえば図５の画面でボタン５００に位置していたカーソル５０３が、ボタン５０１の位置に再表示（移動）される（ステップＳ２１１・Ｓ２１２）。
【００３２】
なお、時間計測部１０２ｄにより計測される所定時間は、あらかじめ操作者が自由に設定できる。一般に、パーソナル・コンピュータやＰＤＡなどではこの時間は短めでよいが、カーナビゲーションシステムのように、操作者が入力に集中できるとは限らない装置では、より長めに設定しておくほうが使いやすい。
【００３３】
また、ここでは強調表示中に何らかの入力がない限り、フォーカスは各オブジェクトをサイクリックに巡回してゆくようにしたが、たとえばあらかじめ設定した回数だけステップＳ２１０〜Ｓ２１４を繰り返しても何の入力もなかった場合は、ステップＳ２０９で表示した強調画像を消去して、図３の操作画面に戻るようにしてもよい。
【００３４】
また、フォーカスの巡回順序はどのようであってもよく、左上隅→右上隅→左下隅→右下隅のようなＺ型の移動のほか、操作者が意図したオブジェクトである可能性がより高いオブジェクト（たとえば入力座標の大半がそのオブジェクトの表示領域に含まれるようなオブジェクト）を、優先的にフォーカスするようにしてもよい。
【００３５】
一方、図５の画面が表示された状態でタッチパネル１００のどこか（場所は問わない）が押圧されると（ステップＳ２１３：Ｙｅｓ）、入力座標算出部１０４により算出された入力座標が、表示制御部１０２のオブジェクト特定部１０２ｂに出力される。
【００３６】
そしてオブジェクト特定部１０２ｂは、現在フォーカスが位置しているオブジェクトがどれであるかをフォーカス制御部１０２ｃに問い合わせ、当該オブジェクトの識別情報を命令実行部１０６（上記識別情報に対応する命令の実行を制御する機能部）に出力する（ステップＳ２１５）。
【００３７】
なお、ステップＳ２０４でオブジェクトを一意に特定できる場合は（ステップＳ２０４：Ｙｅｓ）、ステップＳ２０５〜Ｓ２１４を省略して直接ステップＳ２１５で、当該オブジェクトの識別情報を出力する。
【００３８】
以上説明した実施の形態によれば、誤って同時に複数のオブジェクトに触れてしまった場合、それら複数のオブジェクトが強調表示（たとえば拡大表示）されるとともに、いずれか一つに位置するフォーカスが一定の時間間隔で順次移動してゆく。そして、あるオブジェクトにフォーカスが位置している間に、タッチパネル１００の任意の場所に触れるだけで、当該オブジェクトに対応する入力を行うことができる。
【００３９】
このように、画面全体や入力座標の周辺領域でなく、ボタンなどのオブジェクトのみを強調表示するので、画面がちらついて入力しづらくなることはない。また、強調表示中はタッチパネル１００のどこに触れても、フォーカスのあるオブジェクトに対する入力とみなされるので、強調後の画面で触れるべき場所を改めて探す必要もなく、迅速かつ正確に入力を行うことができる。
【００４０】
したがって、誤って同時に複数のオブジェクトに触れてしまった場合でも、強調表示（具体的には拡大など）された目的のオブジェクトにフォーカスが巡ってきたタイミングで画面上の任意の場所に触れるだけで、目的のオブジェクトだけに触れた場合と同様に当該オブジェクトに対応する命令を実行させることができるので、これによって、文字入力をはじめとする各種処理の指示にあたって、画面上のオブジェクトの指定を正確かつ容易に行えるよう操作者を支援することが可能となる。
【００４１】
さらに、入力結果や入力に不可欠な情報を表示していて、オブジェクトの背後に隠れてしまうのは望ましくない領域、具体的にはたとえば入力文字領域５０２は避けるようにしてオブジェクトが拡大されるので、強調によりかえって入力がしづらくなることもない。
【００４２】
なお、上述した実施の形態は押圧されたオブジェクトが２つの例であるが、この個数はいくつであってもよい。たとえば図６はソフトウエアキーボードの画面の一例、図７は図６の画面で、入力座標が「Ｉ」「Ｏ」「Ｋ］「Ｌ」の４つのオブジェクトにまたがっていた場合の強調表示の一例である。「Ｏ」に位置しているフォーカスの表現が、上述した実施の形態と若干異なる（外縁上のカーソルのほか、オブジェクトそのものにも網掛けがなされている）以外は、基本的に図５と同様である。
【００４３】
また、フォーカスは上記のほか、オブジェクトの点滅などによっても表現することができる。たとえば図８はスクロールバーを備えたウィンドウの一例、図９は図８の画面で、入力座標が上スクロールボタン８００と下スクロールボタン８０１の双方にまたがっていた場合の強調表示の一例である。ボタン８００・８０１がそれぞれボタン９００・９０１に拡大されるとともに、フォーカス中のボタン９００は点滅表示になっている。
【００４４】
なお、上記例では強調後のオブジェクトが、ウィンドウ内のデータ（スクロールされる領域内のデータ）を隠してしまわないように、ウィンドウの外側方向へ向かってボタン８００・８０１が拡大されている。
【００４５】
また、上記はいずれもパーソナル・コンピュータの画面例であるが、本発明はタッチパネル１００とディスプレイ１０１を備えたどんな機器にも応用することができる。たとえば図１０はカレンダーの表示機能を備えた携帯電話の画面の一例、図１１は図１０の画面で、入力座標が「８」「９」「１５」「１６」の４つのオブジェクトにまたがっていた場合の強調表示の一例である。図１１の画面も本質的に、図５や図７、図９の画面と変わるところがない。
【００４６】
特にディスプレイ１０１が小さい携帯電話のような機器では、誤って一度に複数のオブジェクトを押してしまいがちであるが、本発明によればその場合も、目的のオブジェクトにフォーカスが巡回してくるのを待って、画面上の適当な場所に触れればよいだけなので、誤操作を容易に修正できる。
【００４７】
なお、本実施の形態における命令実行方法は、あらかじめ用意されたコンピュータ読み取り可能なプログラムであってもよく、またそのプログラムをパーソナルコンピュータやワークステーションなどのコンピュータで実行することによって実現される。このプログラムは、ＨＤ（ハードディスク）、ＦＤ（フレキシブルディスク）、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【００４８】
（付記１）画面上に表示された複数のオブジェクトのうち操作者により指定されたものを特定して当該オブジェクトに対応する命令を実行する命令実行方法において、
前記画面上で押圧された位置の座標を算出する入力座標算出工程と、
前記入力座標算出工程で算出された座標から前記操作者により指定されたオブジェクトを特定するオブジェクト特定工程と、
前記オブジェクト特定工程でオブジェクトが一つに特定できない場合に、前記操作者により指定されたオブジェクトの候補となる複数のオブジェクトの強調画像を前記画面上に表示する強調画像表示工程と、
前記強調画像表示工程で強調画像を表示された複数のオブジェクトのうち一つを選択するオブジェクト選択工程と、
前記強調画像表示工程で強調画像を表示された前記画面上の任意の場所が押圧された場合に、前記オブジェクト選択工程で選択されたオブジェクトに対応する命令を実行する命令実行工程と、
を含んだことを特徴とする命令実行方法。
【００４９】
（付記２）前記操作者により指定されたオブジェクトが一つに特定できない場合が、前記入力座標算出工程で算出された座標が前記画面上に表示された複数のオブジェクトの表示領域にまたがっている場合であることを特徴とする前記付記１に記載の命令実行方法。
【００５０】
（付記３）前記強調画像表示工程では、前記画面上で所定の情報が表示されている表示領域を避けて前記強調画像を表示することを特徴とする前記付記１または付記２に記載の命令実行方法。
【００５１】
（付記４）前記オブジェクト選択工程では、前回の選択から所定時間を経過すると前記複数のオブジェクトのうち前回選択したオブジェクトに代えて別のオブジェクトを選択することを特徴とする前記付記１〜付記３のいずれか一つに記載の命令実行方法。
【００５２】
（付記５）画面上に表示された複数のオブジェクトのうち操作者により指定されたものを特定して当該オブジェクトに対応する命令を実行するときに用いる命令実行プログラムであって、
前記画面上で押圧された位置の座標を算出する入力座標算出工程と、
前記入力座標算出工程で算出された座標から前記操作者により指定されたオブジェクトを特定するオブジェクト特定工程と、
前記オブジェクト特定工程でオブジェクトが一つに特定できない場合に、前記操作者により指定されたオブジェクトの候補となる複数のオブジェクトの強調画像を前記画面上に表示する強調画像表示工程と、
前記強調画像表示工程で強調画像を表示された複数のオブジェクトのうち一つを選択するオブジェクト選択工程と、
前記強調画像表示工程で強調画像を表示された前記画面上の任意の場所が押圧された場合に、前記オブジェクト選択工程で選択されたオブジェクトに対応する命令を実行する命令実行工程と、
をプロセッサに実行させることを特徴とする命令実行プログラム。
【００５３】
（付記６）画面上に表示された複数のオブジェクトのうち操作者により指定されたものを特定して当該オブジェクトに対応する命令を実行する命令実行装置において、
前記画面上で押圧された位置の座標を算出する入力座標算出手段と、
前記入力座標算出手段により算出された座標から前記操作者により指定されたオブジェクトを特定するオブジェクト特定手段と、
前記オブジェクト特定手段によりオブジェクトが一つに特定できない場合に、前記操作者により指定されたオブジェクトの候補となる複数のオブジェクトの強調画像を前記画面上に表示する強調画像表示手段と、
前記強調画像表示手段により強調画像を表示された複数のオブジェクトのうち一つを選択するオブジェクト選択手段と、
前記強調画像表示手段により強調画像を表示された前記画面上の任意の場所が押圧された場合に、前記オブジェクト選択手段により選択されたオブジェクトに対応する命令を実行する命令実行手段と、
を備えたことを特徴とする命令実行装置。
【００５４】
【発明の効果】
以上説明したように本発明によれば、文字入力をはじめとする各種処理の指示にあたって、画面上のオブジェクトの指定を正確かつ容易に行えるよう操作者を支援することが可能な命令実行方法、命令実行プログラムおよび命令実行装置が得られるという効果を奏する。
【図面の簡単な説明】
【図１】本発明の実施の形態による命令実行装置の構成を機能的に示す説明図である。
【図２】本発明の実施の形態による命令実行装置における、命令実行処理の手順を示すフローチャートである。
【図３】本発明の実施の形態による命令実行装置の操作画面（通常表示画面）の一例を示す説明図である。
【図４】図３に示した操作画面中のオブジェクト３００・３０１の強調画像の一例を示す説明図である。
【図５】本発明の実施の形態による命令実行装置の操作画面（強調表示画面）の一例を示す説明図である。
【図６】操作画面（通常表示画面）の他の一例を示す説明図である。
【図７】操作画面（強調表示画面）の他の一例を示す説明図である。
【図８】操作画面（通常表示画面）の他の一例を示す説明図である。
【図９】操作画面（強調表示画面）の他の一例を示す説明図である。
【図１０】操作画面（通常表示画面）の他の一例を示す説明図である。
【図１１】操作画面（強調表示画面）の他の一例を示す説明図である。
【符号の説明】
１００  タッチパネル
１０１  ディスプレイ
１０２  表示制御部
１０２ａ  画像読み出し部
１０２ｂ  オブジェクト特定部
１０２ｃ  フォーカス制御部
１０２ｄ  時間計測部
１０３  記憶部
１０４  入力座標算出部
１０５  出力座標算出部
１０６  命令実行部
【図１】
2005044026.tif 000003
【図２】
2005044026.tif 000004
【図３】
2005044026.tif 000005
【図４】
2005044026.tif 000006
【図５】
2005044026.tif 000007
【図６】
2005044026.tif 000008
【図７】
2005044026.tif 000009
【図８】
2005044026.tif 000010
【図９】
2005044026.tif 000011
【図１０】
2005044026.tif 000012
【図１１】
2005044026.tif 000013